(57)【要約】【課題】暗所でも光路中に挿入された光学部材の種類を識別できる汎用性の高い光学部材切替装置を提供すること。【解決手段】複数の光学部材１３Ａ〜１３Ｆを顕微鏡光学系の光路内に挿脱可能に構成された光学部材切替装置４０であって、前記光路内に挿入された前記光学部材の情報を表示する表示部材３２Ａ〜３２Ｆと、前記表示部材３２Ａ〜３２Ｆを観察する表示窓３５と、前記表示窓３５に配置され前記表示窓を照明する略透明な導光板３９と、前記導光板３９に照明光を供給する照明手段３８とを具備している光学部材切替装置４０。【選択図】  図２
2005062219.tif 000002
【特許請求の範囲】
【請求項１】
複数の光学部材を顕微鏡光学系の光路内に挿脱可能に構成された光学部材切替装置であって、
前記光路内に挿入された前記光学部材の情報を表示する表示部材と、
前記表示部材を観察する表示窓と、
前記表示窓に配置され前記表示窓を照明する略透明な導光板と、
前記導光板に照明光を供給する照明手段と、
を具備してなることを特徴とする光学部材切替装置。
【請求項２】
複数の光学部材を顕微鏡光学系の光路内に挿脱可能に構成された光学部材切替装置であって、
前記光路内に挿入された前記光学部材の情報を表示する、光を蓄積して発光可能な蓄光部材からなる表示部材と、
前記表示部材を覆い当該表示部材に光を供給する略透明な導光板と、
前記表示部材を観察する表示窓と、
を具備してなることを特徴とする光学部材切替装置。
【請求項３】
前記表示部材に前記導光板を介して光を供給する照明手段を有することを特徴とする請求項２に記載の光学部材切替装置。
【請求項４】
前記導光板の外周の一部が、前記光学部材切替装置の外周部より大きく形成されていることを特徴とする請求項２に記載の光学部材切替装置。
【請求項５】
前記表示部材に対面する前記導光板の面が凹形状に形成されていることを特徴とする請求項１から４のいずれか１項に記載の光学部材切替装置。
【請求項６】
複数の光学部材を顕微鏡光学系の光路内に挿脱可能に構成された光学部材切替装置であって、
前記光路内に挿入された前記光学部材の情報を表示する表示部材と、
前記表示部材を観察する表示窓と、
前記表示窓で観察できる前記表示部材のみを照明する照明手段と、
前記照明手段の照明状態を切替える切替スイッチとを備え、
操作者が前記切替スイッチを操作したのに応じて前記照明手段を照明状態とすることを特徴とする光学部材切替装置。
【請求項７】
前記照明手段は、前記表示窓の近傍に配置されたＬＥＤ光源からなることを特徴とする請求項１または３または６に記載の光学部材切替装置。
【請求項８】
請求項１から７のいずれか１項に記載の光学部材切替装置を有することを特徴とする顕微鏡。
【発明の詳細な説明】
【０００１】
【発明の属する技術分野】
本発明は、顕微鏡光学系の光路に選択的に切替える光学部材の種類を表示する表示部を有する光学部材切替装置に関する。
【０００２】
【従来技術】
顕微鏡を用いて標本を観察したり、標本の顕微鏡写真を撮影したりする際には、その観察作業環境を暗くして行うことが多い。このため、例えば明視野、暗視野、蛍光、偏光、微分干渉、位相差等の各観察法に応じて選択的に切替えられる光学部材の種類を表示する表示部が設けられているが、周囲の暗さにより表示部が見づらかったり見えなかったりしていた。
【０００３】
そこで、表示部に光を蓄光する蓄光性部材を用い、暗所でも蓄光された光で表示部を光らせ、観察者に光学部材の種類を識別させる表示部材を有する光学部材切替装置が提案されている（例えば、特許文献１参照。）。
【０００４】
【特許文献１】
特開２０００−２５８６９２号公報
【０００５】
【発明が解決しようとする課題】
上記開示例では、蓄光性の表示部材に光を蓄光させるために、照明光学系の有効光束以外の光を光ファイバや反射鏡で表示部材の前面まで導き、光を照射して蓄光させる構成としている。上記開示例では、光ファイバや反射鏡を配置した蓄光専用の構造を有する部材を顕微鏡本体に準備する必要がある。このため、表示部材を蓄光させるために光ファイバを装置内で引き回す必要もあり、製造上、複雑な構造となっていた。
【０００６】
本発明は、上記問題に鑑みて行われたものであり、暗所でも光路中に挿入された光学部材の種類を識別できる製造上、簡単な構造の光学部材切替装置を提供することを目的としている。
【０００７】
【課題を解決するための手段】
上記目的を達成するために、本発明では、複数の光学部材を顕微鏡光学系の光路内に挿脱可能に構成された光学部材切替装置であって、前記光路内に挿入された前記光学部材の情報を表示する表示部材と、前記表示部材を観察する表示窓と、前記表示窓に配置され前記表示窓を照明する略透明な導光板と、前記導光板に照明光を供給する照明手段とを具備してなることを特徴とする光学部材切替装置を提供する。
【０００８】
また、本発明では、複数の光学部材を顕微鏡光学系の光路内に挿脱可能に構成された光学部材切替装置であって、前記光路内に挿入された前記光学部材の情報を表示する、光を蓄積して発光可能な蓄光部材からなる表示部材と、前記表示部材を覆い当該表示部材に光を供給する略透明な導光板と、前記表示部材を観察する表示窓とを具備してなることを特徴とする光学部材切替装置を提供する。
【０００９】
また、本発明の光学部材切替装置は、前記表示部材に前記導光板を介して光を供給する照明手段を有することが好ましい。
【００１０】
また、本発明の光学部材切替装置では、前記導光板の外周の一部が、前記光学部材切替装置の外周部より大きく形成されていることが好ましい。
【００１１】
また、本発明の光学部材切替装置は、前記表示部材に対面する前記導光板の面が凹形状に形成されていることが好ましい。
【００１２】
また、本発明では、複数の光学部材を顕微鏡光学系の光路内に挿脱可能に構成された光学部材切替装置において、前記光路内に挿入された前記光学部材の情報を表示する表示部材と、前記表示部材を観察する表示窓と、前記表示窓で観察できる前記表示部材のみを照明する照明手段と、前記照明手段の照明状態を切替える切替スイッチとを備え、操作者が前記切替スイッチを操作したのに応じて前記照明手段を照明状態とすることが好ましい。
【００１３】
また、本発明の光学部材切替装置では、前記照明手段は、前記表示窓の近傍に配置されたＬＥＤ光源からなることが好ましい。
【００１４】
また、本発明では、前記光学部材切替装置を有する顕微鏡を提供する。
【００１５】
【発明の実施形態】
以下、本発明の実施の形態を図面を参照しつつ説明する。
【００１６】
図１は、本発明に係る光学部材切替装置を有する蛍光顕微鏡の部分透視図を含む概略構成図である。図２は、本発明の第１実施の形態に係る光学部材切替装置であり、（ａ）は平面図を、（ｂ）はＡ−Ａ線に沿った断面図を示す。図３は、本発明の第２実施の形態に係る光学部材切替装置であり、（ａ）は平面図を、（ｂ）はＡ−Ａ線に沿った部分断面図を示す。図４は、本発明の第３実施の形態に係る光学部材切替装置であり、（ａ）は平面図を、（ｂ）は部分透視図を含むＡ−Ａ線に沿った断面図にを示す。図５は、本発明の第４実施の形態に係る光学部材切替装置であり、（ａ）は平面図を、（ｂ）はＡ−Ａ線に沿った断面図を示す。
【００１７】
以後の説明では、一般的に倒立型顕微鏡と呼ばれる対物レンズが観察試料の下方に配置された顕微鏡を用いて説明するが、一般的に正立型顕微鏡と呼ばれる対物レンズが観察試料の上方に配置された顕微鏡においても同様である。
【００１８】
図１において、透過照明光源３から出射された照明光が透過照明光学系５を介してステージ７に載置された観察試料９に照射される。観察試料９を透過した光は対物レンズ１１で集光され、フィルタブロック１３が光軸から外された状態の光学部材切替装置１５を通過し、結像光学系１７を介して接眼レンズ１９で拡大観察される。
【００１９】
一方、蛍光観察においては、蛍光観察用光源２１から出射された励起光が励起光照明光学系２３を介してフィルタブロック１３が光軸に挿入された状態の光学部材切替装置１５に入射し、光学フィルタ１３ａを透過し、ダイクロイックミラー１３ｂで反射されて対物レンズ１１を介して観察試料９に照射される。照射された励起光で励起されて観察試料９で発生した蛍光は、対物レンズ１１で集光されダイクロイックミラー１３ｂを透過し、光学フィルタ１３ｃで蛍光が選択され、結像光学系１７を介して接眼レンズ１９または不図示の撮像装置で撮像され不図示のモニタで拡大観察される。
【００２０】
また、光学部材切替装置１５には、光軸に挿入されているフィルタブロック１３の種類（名称）を表示する、後述する表示部材が設けられ、この表示部材を必要なときに照明する光源部２５と導光板２７が設けられている。
【００２１】
このようにして、本発明に係る光学部材切替装置１５を有する倒立型蛍光顕微鏡１が構成されている。
【００２２】
（第１実施の形態）
次に、本発明の第１実施の形態に係る光学部材切替装置に付いて図面を参照しつつ説明する。
【００２３】
図２において、フィルタブロック１３Ａが顕微鏡光学系の光路中に装填され表示窓３５にフィルタブロック１３Ａの情報である表示部材３２Ａが表示されている状態を例に説明する。
【００２４】
複数個（例えば、６個）のフィルタブロック１３Ａ〜１３Ｆをターレット部３１に交換、取付でき、取付されたフィルタブロック１３Ａ〜１３Ｆに対応してフィルタブロックの種類を表示する表示部材３２Ａ〜３２Ｆをターレット部３１の上面に有するターレット部３１がターレット支持部３３に回転可能に支持されている。
【００２５】
ターレット部３１の上部を覆い、顕微鏡光学系の光路に対応する部分に開口部３７と、ターレット部３１の回転軸に対して略対向する位置に照明用の開口部を有し照明光を供給する光源部（例えば、ＬＥＤ光源等）３８と、開口部３４に対して所定の角度の位置（本実施の形態では略９０度）に設けられた表示窓３５とを有し、ターレット支持部３３にネジ３６、３６で固定されたターレットカバー部３７が設けられている。
【００２６】
ターレットカバー部３７には、ターレット部３１側の面で光源部３８と表示窓３５との間に、表示窓３５を覆い、表示窓３５に光源部３８からの照明光を誘導する導光板３９が設けられている。このようにして、光学部材切替装置４０が構成されている。
【００２７】
ターレット部３１は、ターレット支持部３３を軸として回転することによってフィルタブロック１３Ａ等を顕微鏡光学系の光路中に切替可能であり、ターレット支持部３３にて顕微鏡の所定の位置に取付できる構成を有している。
【００２８】
フィルタブロック１３Ａ等には、所定の波長の光のみを透過する光学フィルタ１３ａ、１３ｃが配置されると共に、蛍光観察用光源２１（図中右側）から入射される照明光中の所定の波長のみを反射または透過するダイクロイックミラー１３ｂが配置され、蛍光観察ができるようになっている。
【００２９】
ターレット部３１のターレットカバー部３７側には、ターレット部３１に取付られたフィルタブロック１３Ａ〜１３Ｆの情報を識別するための表示部材３２Ａ〜３２Ｆが配置されている。
【００３０】
表示部材３２Ａ等は、フィルタブロック１３Ａ等が交換可能であるため、ターレット部３１に取付られたフィルタブロック１３Ａ等に応じて交換が可能な構成を有している。表示部材３２Ａ等は、ターレットカバー部３７に設けられた表示窓３５を通して観察者に識別され、顕微鏡光学系の光路内にフィルタブロック１３Ａ等のいずれかが装填されているかが分かるように構成されている。
【００３１】
なお、フィルタブロック１３Ａと表示部材３２Ａの位置関係は、開口部３４と表示窓３５との位置関係に対応するように配置されている。
【００３２】
表示窓３５のターレットカバー部３７側には、表示窓３５にある表示部材（図では、３２Ａ）を暗所で識別可能にする導光板３９が配置されている。導光板３９の他の端部近傍のターレットカバー部３７には、導光板３９に照明光を供給する光源部３８が配置され、不図示のスイッチで光源のＯＮ／ＯＦＦを行えるように構成されている。
【００３３】
光源部３８は外部に光が漏れないようにカバー部材３８ａで覆われている。光源部３８からの光は、導光板３９で表示窓３５まで導かれ、表示部材３２Ａ上の導光板３９が淡く輝くことによって表示部材３２Ａを識別可能としている。
【００３４】
以上、本第１実施の形態によれば、観察者は暗闇の中で必要なときに光源部３８のスイッチを入れることで、顕微鏡光学系の光路中に装填されているフィルタブロック（１３Ａ〜１３Ｆ）の識別が行える。
【００３５】
また、光源をＯＦＦできるため、微弱な蛍光等の観察に際し妨げとなる不要な明かりを排除でき、これまで以上に微弱な蛍光等の観察が可能となる。また、本光学部材切替装置は、従来例と異なり、これ自体が光源部を有しているので、顕微鏡本体に表示部材を照明する特別な光源装置を設けなくても良く、各種の顕微鏡に簡単に取付て暗所での顕微鏡観察を可能とすることができる。
【００３６】
なお、上述の説明ではフィルタブロックは６個の場合について説明したが、ターレット部へセット可能なフィルタブロックの個数は適宜設計することが可能である。また、光源部の光源には、ランプ、ＬＥＤ、ＬＤ等種々の光源を使用することができる。また、表示部材には蓄光性を有する部材を用いても良い。
【００３７】
これにより蓄光に必要な時間光源を発光させた後、光源を切り蓄光性部材の発光によってフィルタブロックの種類を識別できるようにすることで、消費電力の低減や電池等の電源の消耗を抑えることが可能となる。また、表示窓３５の導光板３９の表示部材３２Ａに向かう面は、表示部材３２Ａを照明しやすくするために略凹面形状に形成してあっても良い。
【００３８】
（第２実施の形態）
次に、本発明の第２実施の形態に係る光学部材切替装置に付いて図面を参照しつつ説明する。本第２実施の形態と第１実施の形態との相違点は光源部と導光板の配置にあり、第１実施の形態と同様の部材には同じ符号を付し説明を省略する。
【００３９】
図３において、フィルタブロック１３Ａが顕微鏡光学系の光路中に装填され表示窓３５にフィルタブロック１３Ａの情報である表示部材３２Ａが表示されている状態を例に説明する。
【００４０】
ターレットカバー部３７に形成された表示窓３５に導光板４９が配置され、表示窓３７の端部の導光板４９に照明光を供給するＬＥＤ部材４８が配置され、ターレットカバー部３７に固定されて光学部材切替装置５０が構成されている。
【００４１】
ＬＥＤ部材４８は操作者の外部操作により不図示のスイッチによってＯＮ／ＯＦＦされる。その他の構成は第１実施の形態と同様であり説明を省略する。
【００４２】
本第２実施の形態では、表示窓３５の近傍に配置されたＬＥＤ部材４８からの光により表示窓３５上に配置された導光板４９の全体が淡く輝くことにより、表示部材３２Ａの識別が可能となる。
【００４３】
以上、本第２実施の形態によれば、観察者は暗闇の中で必要なときにＬＥＤ部材４８のスイッチを入れることで、顕微鏡光学系の光路中に装填されているフィルタブロック（１３Ａ〜１３Ｆ）の識別が行える。
【００４４】
また、光源をＯＦＦできるため、微弱な蛍光等の観察に際し妨げとなる不要な明かりを排除でき、これまで以上に微弱な蛍光等の観察が可能となる。また、本光学部材切替装置は、従来例と異なり、これ自体が光源部を有しているので、顕微鏡本体に表示部材を照明する特別な光源装置を設けなくても良く、各種の顕微鏡に簡単に取付て暗所での顕微鏡観察を可能とすることができる。
【００４５】
なお、上述の説明ではフィルタブロックは６個の場合について説明したが、ターレット部へセット可能なフィルタブロックの個数は適宜設計することが可能である。また、光源部の光源には、ランプ、ＬＥＤ、ＬＤ等種々の光源を使用することができる。また、表示部材には蓄光性を有する部材を用いても良い。
【００４６】
これにより蓄光に必要な時間光源を発光させた後、光源を切り蓄光性部材の発光によってフィルタブロックの種類を識別できるようにすることで、消費電力の低減や電池等の電源の消耗を抑えることが可能となる。また、表示窓３５の導光板４９の表示部材３２Ａに向かう面は、表示部材３２Ａを照明しやすくするために略凹面形状に形成してあっても良い。
【００４７】
（第３実施の形）
次に、本発明の第３実施の形態に係る光学部材切替装置に付いて図面を参照しつつ説明する。本第３実施の形態と第１実施の形態との相違点は導光板の形状と、表示部材に蓄光性部材が使われている所にあり、第１実施の形態と同様の部材には同じ符号を付し説明を省略する。
【００４８】
図４において、フィルタブロック１３Ａが顕微鏡光学系の光路中に装填され表示窓３５にフィルタブロック１３Ａの情報である表示部材５２Ａが表示されている状態を例に説明する。
【００４９】
ターレット部３１とターレットカバー部３７の間に開口部３４と表示窓３５に対応する部分が切り取られ、ターレット部３１の上面外周部に配置された蓄光性の表示部材５２Ｂ〜５２Ｆを覆う略円板状の導光板５９が配置されている。
【００５０】
導光板５９の表示部材５２Ｂ〜５２Ｆに向かう面それぞれには、後述する蓄光用の光を表示部材５２Ｂ〜５２Ｆそれぞれに照射しやすくするために略凹面形状５９Ａに形成されている。そして、ターレットカバー部３７の上部に導光板５９を介して表示窓３５以外の場所に有る表示部材５２Ｂ〜５２Ｆへ蓄光用の光を供給する光源部３８が配置されている。光源部３８は操作者の外部操作により不図示のスイッチによってＯＮ／ＯＦＦが行われる。
【００５１】
ターレットカバー部３７の光源部３８の領域には、光源部３８の光を導光板５９に照射できるように開口部３８ｂが設けられている。また、光源部３８には、漏れ光を防止するためにカバー部材３８ａが設けられて光学部材切替装置６０が構成されている。その他の構成は第１実施の形態と同様であり説明を省略する。
【００５２】
本第３実施の形態では、暗闇にされ蛍光の測定が行われる際、表示窓３５の位置にある表示部材５２Ａは、導光板５９を介して光源部３８からの光でそれまでに蓄光された光で表示部材５２Ａを光らせて顕微鏡光学系の光路中に装填されているフィルタブロック１３Ａの情報を識別できるようにする。
【００５３】
また、光源部３８からの光を導光板５９を介して表示窓３５以外にある表示部材５２Ｂ〜５２Ｆに照射して、表示部材５２Ｂ〜５２Ｆに光を蓄光させる。そして別のフィルタブロック（例えば、１３Ｂ）が顕微鏡光学系の光路中に装填されたとき（開口部３４の位置に配置されたとき）、このフィルタブロック１３Ｂの情報を表示する表示部材５２Ｂが表示窓３５にセットされて表示部材５２Ｂに蓄積された光で、観察者に光路中に装填されたフィルタブロックの識別を可能としている。
【００５４】
以上、本第３実施の形態によれば、観察者は暗闇の中でも顕微鏡光学系の光路中に装填されているフィルタブロック（１３Ａ〜１３Ｆ）の識別が行える。
【００５５】
また、本光学部材切替装置６０は、従来例と異なり、これ自体が光源部を有しているので、顕微鏡本体に表示部材を照明する特別な光源装置を設けなくても良く、各種の顕微鏡に簡単に取付て暗所での顕微鏡観察を可能とすることができる。
【００５６】
なお、上述の説明ではフィルタブロックは６個の場合について説明したが、ターレット部へセット可能なフィルタブロックの個数は適宜設計することが可能である。また、光源部の光源には、ランプ、ＬＥＤ、ＬＤ等種々の光源を使用することができる。
【００５７】
（第４実施の形態）
次に、本発明の第４実施の形態に係る光学部材切替装置に付いて図面を参照しつつ説明する。本第４実施の形態と第３実施の形態との相違点は導光板の形状と、光源部を持たない所にあり、第４実施の形態と同様の部材には同じ符号を付し説明を省略する。
【００５８】
図５において、フィルタブロック１３Ａが顕微鏡光学系の光路中に装填され表示窓３５にフィルタブロック１３Ａの情報である表示部材５２Ａが表示されている状態を例に説明する。
【００５９】
ターレット部３１とターレットカバー部３７の間に開口部３４と表示窓３５に対応する部分が切り取られ、ターレット部３１の上面外周部に配置された蓄光性の表示部材５２Ｂ〜５２Ｆを覆い、外周部がターレットカバー部３７より大きく形成された略楕円板形状の導光板６９が配置されている。
【００６０】
導光板６９の表示部材５２Ｂ〜５２Ｆに向かう面それぞれには、後述する蓄光用の光を表示部材５２Ｂ〜５２Ｆそれぞれに照射しやすくするために略凹面形状５９Ａに形成されて光学部材切替装置６０が構成されている。その他の構成は第４実施の形態と同様であり説明を省略する。
【００６１】
本第４実施の形態では、顕微鏡の置かれた周辺の光（例えば、天井灯や窓からの太陽光線等）をターレットカバー部３７からはみ出して形成された導光板部６９ａ、６９ａで蓄光性の表示部材５２Ｂ〜５２Ｆの位置へ導き照射して蓄光させる。一般に、観察などを行う前には標本の準備など顕微鏡の周辺を明るくして作業するので、その間に表示部材５２Ａ〜５２Ｆを蓄光することができる。
【００６２】
暗闇にされ蛍光の測定が行われる際、表示窓３５の位置にある表示部材５２Ａは、それまでに蓄光された光で表示部材５２Ａを光らせて顕微鏡光学系の光路中に装填されているフィルタブロック１３Ａの情報を識別できるようにする。そして別のフィルタブロック（例えば、１３Ｂ）が顕微鏡光学系の光路中に装填されたとき（開口部３４の位置に配置されたとき）でも、このフィルタブロック１３Ｂの情報を表示する表示部材５２Ｂが表示窓３５にセットされて表示部材５２Ｂに蓄積された光で、観察者に光路中に装填されたフィルタブロック１３Ｂの識別を可能とする。
【００６３】
以上、本第４実施の形態によれば、観察者は暗闇の中でも顕微鏡光学系の光路中に装填されているフィルタブロック（１３Ａ〜１３Ｆ）の識別が行える。
【００６４】
また、本光学部材切替装置７０は、従来例と異なり、顕微鏡置かれている周辺の光を蓄光用の光源として用いることができるので、顕微鏡本体に表示部材を照明する特別な光源装置を設けなくても良く、各種の顕微鏡に簡単に取付て暗所での顕微鏡観察を可能とすることができる。
【００６５】
なお、上述の説明ではフィルタブロックは６個の場合について説明したが、ターレット部へセット可能なフィルタブロックの個数は適宜設計することが可能である。
【００６６】
なお、上述の実施の形態は例に過ぎず、上述の構成や形状に限定されるものではなく、本発明の範囲内において適宜修正、変更が可能である。
【００６７】
【発明の効果】
上述のように、本発明では、暗所でも光路中に挿入された光学部材の種類を識別できる製造上、簡単な構造の光学部材切替装置を提供することができる。
【図面の簡単な説明】
【図１】本発明に係る光学部材切替装置を有する蛍光顕微鏡の部分透視図を含む概略構成図である。
【図２】本発明の第１実施の形態に係る光学部材切替装置であり、（ａ）は平面図を、（ｂ）はＡ−Ａ線に沿った断面図を示す。
【図３】本発明の第２実施の形態に係る光学部材切替装置であり、（ａ）は平面図を、（ｂ）はＡ−Ａ線に沿った部分断面図を示す。
【図４】本発明の第３実施の形態に係る光学部材切替装置であり、（ａ）は平面図を、（ｂ）は部分透視図を含むＡ−Ａ線に沿った断面図にを示す。
【図５】本発明の第４実施の形態に係る光学部材切替装置であり、（ａ）は平面図を、（ｂ）はＡ−Ａ線に沿った断面図を示す。
【符号の説明】
１      倒立型蛍光顕微鏡
３      透過照明光源
５      透過照明光学系
７      ステージ
９      観察試料
１１    対物レンズ
１３、１３Ａ〜１３Ｆ    フィルタブロック
１３ａ，１３ｃ    光学フィルタ
１３ｂ    ダイクロイックミラー
１５、４０、５０、６０、７０    光学部材切替装置
１７    結像光学系
１９    接眼レンズ
２１    蛍光観察用光源
２３    励起光照明光学系
２５、３８、４８    光源部
３１    ターレット部
３２Ａ〜３２Ｆ、５２Ａ〜５２Ｆ    表示部材
３３    ターレット支持部
３４    開口部
３５    表示窓
３６    ネジ
３７    ターレットカバー部
２７、３９、４９、５９、６９    導光板
【図１】
2005062219.tif 000003
【図２】
2005062219.tif 000004
【図３】
2005062219.tif 000005
【図４】
2005062219.tif 000006
【図５】
2005062219.tif 000007